(57)【要約】  【課題】  用紙の積載や給紙の妨げとなることがない簡単な構成により、使用者が給紙カセットを勢いよく用紙幅方向に移動した場合の、幅方向カーソルの移動を防止する。  【解決手段】  カセットフレーム１０の内部には、用紙の幅方向の位置決めを行う幅方向カーソル２０が備えられる。幅方向カーソル２０の下方には、ロック片４０が、用紙幅方向と直角をなす面内で回転可能に支持されている。ロック片４０は、その支軸４１部分に備えられた付勢手段によりロック方向に付勢されている。幅方向カーソル２０の底面には係合孔２３が、ロック片４０の上面にはロックピン４２が備えられ、係合孔２３にロックピン４２が挿入されて幅方向カーソル２０が用紙幅方向に変位しないようにロックされる。幅方向カーソル２０に備えられた解除ロッド５０を下方に押すと、ロック片４０が下方に変位して、ロック解除位置に移動する。【選択図】      図２
2005231862.tif 000002
【特許請求の範囲】
【請求項１】
用紙を積載して収容するカセットフレームと、このカセットフレームに設けられ、用紙供給方向と直角をなす用紙幅方向の用紙の位置決めを行う幅方向カーソルとを備えるとともに、機器本体から引き出し可能な給紙カセットにおいて、
前記カセットフレームの底部に、前記幅方向カーソルを所定位置にロックするロック片を備え、このロック片が、下方から幅方向カーソルに係合して、幅方向カーソルが用紙幅方向に変位しないようにロックすることを特徴とする給紙カセット。
【請求項２】
前記ロック片が、使用可能な複数種類の用紙の各々の幅に対応した位置に、前記幅方向カーソルと係合する係合部を備えることを特徴とする請求項１に記載の給紙カセット。
【請求項３】
前記ロック片をロック方向に付勢する付勢手段と、ロック片のロック状態を解除する解除手段とを備えることを特徴とする請求項１または請求項２に記載の給紙カセット。
【請求項４】
前記機器本体に給紙カセットを挿入した時、給紙カセット下方の機器本体に設けられた変位規制面により、前記ロック片のロック解除方向への変位が規制されることを特徴とする請求項３に記載の給紙カセット。
【請求項５】
前記ロック片をロック解除方向に付勢する付勢手段を備え、前記機器本体に給紙カセットを挿入した時、ロック片が、給紙カセット下方の機器本体に設けられた支持面に接触して支えられることにより、ロック片がロック位置にて拘束されることを特徴とする請求項１または請求項２に記載の給紙カセット。
【発明の詳細な説明】
【技術分野】
【０００１】
本発明は、機器に供給する用紙を予め多数ストックしておくために用いられる給紙カセットに関する。
【背景技術】
【０００２】
給紙カセットは、複写機やプリンタに代表される画像形成装置において、カットペーパー等の給紙用として用いられる。画像形成装置における給紙装置には、給紙カセットに印刷前の用紙を予め多数ストックしておき、カセット内に積み上げられた用紙の最上層から１枚ずつ用紙を分離供給するものが多い。
【０００３】
給紙カセットには、カーソルが備えられたものがある。カーソルは、給紙カセットに設けられたレールに沿って移動可能であり、カセット内に積み上げられた用紙束の側面に当接して、用紙の位置決めを行うものである。これにより、用紙が所定の位置から移動することがなく、安定した給紙を行うことが可能となる。
【０００４】
カーソルには、用紙供給方向において用紙の位置決めを行う長さ方向カーソルと、用紙供給方向と直角をなす用紙幅方向において用紙の位置決めを行う幅方向カーソルとが存在する。これらのカーソルには、用紙サイズに対応した所定位置にてカーソルをロックするロック手段が備えられている。ロック手段は、鋸歯状のラックと、このラックに係合する係止爪を備えたロック片とで構成されたものが一般的に広く用いられている。
【０００５】
しかしながら、用紙を給紙カセットに積載し、使用者が給紙カセットを勢いよく用紙幅方向に移動した場合に、用紙束が慣性で給紙カセットに対し相対移動しようとしてカーソルによる拘束に打ち勝ち、ロック片が移動してカーソルのロックが解除されることがある。これにより、用紙は、カーソルとともに用紙幅方向に移動してしまう。その結果、適正な給紙を行うことができず、印刷画像のずれや用紙ジャムといった不具合が発生するという問題が生じる。
【０００６】
このような問題を解決すべく、幅方向カーソルを所定位置にロックするロック片の意図しない移動を防止するための手法が提案され、その給紙カセットの例を、特許文献１に見ることができる。
【特許文献１】特開平８−２３９１２８号公報（第３−４頁、第１−４図）
【発明の開示】
【発明が解決しようとする課題】
【０００７】
特許文献１に記載の給紙トレイ（給紙カセット）は、給紙トレイが挿入される画像形成装置の、給紙トレイ挿入口内部において、給紙トレイの上方に加圧板を備え、給紙トレイを画像形成装置に挿入した時には、加圧板がサイドフェンス（カーソル）のロックレバーに係合して、ロックレバーの意図しない移動を防止するものである。しかしながら、このような加圧板を給紙カセットの上方に配置すると、給紙カセットに収容する用紙の積載量が制限される。
【０００８】
また、給紙カセットには、用紙供給方向下流端に用紙分離爪を配置し、給紙送りが与えられた最上層の用紙を分離爪に引っ掛けて下層の用紙との分離を図るものがある。このような給紙カセットにおいては、給紙時に、分離爪に引っ掛けられた最上層の用紙が上方にたわむので、特許文献１に記載のような加圧板が給紙カセット上方に存在すると、加圧板が邪魔になり給紙不良が発生する恐れがある。
【０００９】
本発明は上記の点に鑑みなされたものであり、用紙を多数ストックする給紙カセットにおいて、用紙の積載や給紙の妨げとなることがない簡単な構成により、使用者が給紙カセットを勢いよく用紙幅方向に移動した場合の、幅方向カーソルの移動を防止することが可能な信頼性の高い給紙カセットを提供することを目的とする。
【課題を解決するための手段】
【００１０】
上記の課題を解決するため、本発明は、用紙を積載して収容するカセットフレームと、このカセットフレームに設けられ、用紙供給方向と直角をなす用紙幅方向の用紙の位置決めを行う幅方向カーソルとを備えるとともに、機器本体から引き出し可能な給紙カセットにおいて、前記カセットフレームの底部に、前記幅方向カーソルを所定位置にロックするロック片を備え、このロック片が、下方から幅方向カーソルに係合して、幅方向カーソルが用紙幅方向に変位しないようにロックすることとした。
【００１１】
また、前記ロック片が、使用可能な複数種類の用紙の各々の幅に対応した位置に、前記幅方向カーソルと係合する係合部を備えることとした。
【００１２】
また、前記ロック片をロック方向に付勢する付勢手段と、ロック片のロック状態を解除する解除手段とを備えることとした。
【００１３】
また、前記機器本体に給紙カセットを挿入した時、給紙カセット下方の機器本体に設けられた変位規制面により、前記ロック片のロック解除方向への変位が規制されることとした。
【００１４】
また、前記ロック片をロック解除方向に付勢する付勢手段を備え、前記機器本体に給紙カセットを挿入した時、ロック片が、給紙カセット下方の機器本体に設けられた支持面に接触して支えられることにより、ロック片がロック位置にて拘束されることとした。
【発明の効果】
【００１５】
本発明の構成によれば、機器本体から引き出し可能な給紙カセットにおいて、カセットフレームの底部に、幅方向カーソルを所定位置にロックするロック片を備え、このロック片が、下方から幅方向カーソルに係合して、幅方向カーソルが用紙幅方向に変位しないようにロックすることとしたので、給紙カセットの上方に、カーソルのロックに係る部材を配置する必要がない。したがって、用紙の積載や給紙の妨げとなることがない簡単な構成により、使用者が給紙カセットを勢いよく用紙幅方向に移動した場合の、用紙の幅方向への移動を防止することが可能である。また、給紙カセットの占有空間を広くする必要がないので、給紙カセット、及びこれを備えた機器の大型化を防止することができる。
【００１６】
また、ロック片が、使用可能な複数種類の用紙の各々の幅に対応した位置に、幅方向カーソルと係合する係合部を備えることとしたので、給紙カセットで使用可能ないずれの用紙サイズにも対応して、幅方向カーソルをロックすることができる。これにより、用紙サイズに関わらず、用紙の幅方向への移動を防止することが可能である。
【００１７】
また、ロック片をロック方向に付勢する付勢手段と、ロック片のロック状態を解除する解除手段とを備えることとしたので、付勢手段によって、ロック片を自動的にロック位置に変位させることができるとともに、ロック解除も解除手段によって容易に行うことができる。ロック片による幅方向カーソルのロックを、簡単な構成、及び操作で行うことが可能となる。
【００１８】
また、機器本体に給紙カセットを挿入した時、給紙カセット下方の機器本体に設けられた変位規制面により、ロック片のロック解除方向への変位が規制されることとしたので、機器本体に給紙カセットを挿入することにより、幅方向カーソルのロック状態を強固に保持することが可能となる。これにより、用紙の幅方向への移動防止に対する信頼性を高めることができる。
【００１９】
また、ロック片をロック解除方向に付勢する付勢手段を備えることとしたので、この付勢手段によって、ロック片を自動的にロック解除位置に変位させることができる。したがって、幅方向カーソルのロック解除操作を行うための部材を別途用意する必要がないので、コストダウンを図ることができるとともに、ロック解除操作の手間も省ける。さらに、機器本体に給紙カセットを挿入した時、ロック片が、給紙カセット下方の機器本体に設けられた支持面に接触して支えられることにより、ロック片がロック位置にて拘束されることとしたので、機器本体に給紙カセットを挿入するだけで、ロック片を自動的にロック位置に変位させて、拘束させることができる。したがって、手間を掛けることなくカーソルをロックできるとともに、ロック状態を強固に保持することが可能となる。
【発明を実施するための最良の形態】
【００２０】
以下、本発明の実施形態を図１〜図１２に基づき説明する。
【００２１】
最初に、本発明の給紙カセットについて、図１を用いてその構成の概略を説明する。図１は、本発明の実施形態に係る給紙カセットの斜視図にして、背面側上方から見たものである。なお、給紙カセットの正面側には、指を掛けて給紙カセットを引き出すためのパネルが設けられ、背面はこのパネルと対向する面である。
【００２２】
図１において、給紙カセット１は、図示しない複写機等の画像形成装置の下部に収容されるものである。給紙カセット１は、その側面に設けられた水平突条２を画像形成装置内部のレールに係合させ、図１に示す矢印Ａの方向に水平にスライドして挿入される。給紙カセット１の本体部は、カセットフレーム１０で構成されている。カセットフレーム１０は、上面が開口した平たい箱で構成され、その上面方向から用紙を積載して収容する。画像形成装置内部において、給紙カセット１の上方には、図示しない給紙手段が備えられ、用紙は図１に示す矢印Ｂの方向に供給される。カセットフレーム１０の前面部にはパネル３が一体成形され、このパネル３が画像形成装置の前面下部のハウジングの一部を構成する役割を担う。給紙カセット１を引き出す時には、パネル３の下部に指を掛ける。
【００２３】
カセットフレーム１０の内側底面には、リフト板４が備えられている。用紙は、このリフト板４上に積載される。リフト板４は、その用紙供給方向上流端がカセットフレーム１０の内側底面に支持され、この支点を中心とし、下流端を自由端として回転可能である。リフト板５は板状の部材であり、後述する幅方向カーソル２０、及び長さ方向カーソル３０の移動領域に切り欠きが設けられている。
【００２４】
カセットフレーム１０の内部の用紙供給方向下流部には、幅方向カーソル２０が備えられている。幅方向カーソル２０は２個備えられ、用紙供給方向（矢印Ｂ）と直角をなす用紙幅方向の両側から用紙束の側面に当接する。幅方向カーソル２０は、その用紙供給方向から見た垂直断面がＬ字形状であり、水平部２１と、垂直な用紙突き当て部２２とで構成される（図２参照）。２個の幅方向カーソル２０は、互いの水平部２１が向き合うように配置され、用紙は、各々の水平部２１の上方であって、用紙突き当て部２２の内側に積載される。幅方向カーソル２０は、用紙が画像形成装置の給紙手段による給紙位置に位置するように、用紙の幅方向の位置決めを行う。
【００２５】
幅方向カーソル２０は、カセットフレーム１０上に用紙幅方向に設けられた移動用溝１１に沿って変位させることが可能である。幅方向カーソル２０は、その底面に設けられた図示しない係合部が移動用溝１１に引っ掛かっているので、上方に外れてしまうことはない。用紙幅方向の両側から用紙束の側面に当接する２個の幅方向カーソル２０には、図示しない連動機構がそれらの下方に設けられている。連動機構は、２個の幅方向カーソル２０の各々に設けられたラックと、カセットフレーム１０に取り付けられたピニオンとで構成される。この連動機構により、幅方向カーソル２０の一方を変位させると、それに連動して他方も変位するようになっている。この時、２個の幅方向カーソル２０は、用紙の幅方向中心線に対して、左右対称の動きをする。
【００２６】
カセットフレーム１０の内部の用紙供給方向上流部には、長さ方向カーソル３０が備えられている。長さ方向カーソル３０は１個備えられ、用紙供給方向（矢印Ｂ）上流側から用紙束の側面に当接する。長さ方向カーソル３０は、その用紙供給方向から見た垂直断面がＬ字形状であり、水平部３１と、垂直な用紙突き当て部３２とで構成される。用紙は、水平部３１の上方であって、用紙突き当て部３２の内側に積載される。長さ方向カーソル３０は、用紙の下流端が、画像形成装置の給紙手段による給紙位置に位置するように、用紙供給方向の位置決めを行う。
【００２７】
長さ方向カーソル３０は、カセットフレーム１０上に用紙供給方向に設けられた移動用レール１２に沿って変位させることが可能である。長さ方向カーソル３０は、その底面に設けられた図示しない係合部が移動用レール１２に係合しているので、上方に外れてしまうことはない。
【００２８】
次に、本発明の第１の実施形態に係る給紙カセット１において、幅方向カーソル２０の詳細な構成について、図２〜図６を用いて説明する。図２は給紙カセットの幅方向カーソル取り付け部分を示す模型的垂直断面右側面図、図３は同じく模型的垂直断面部分正面図である。図４は図２と同様の模型的垂直断面右側面図にして、ロック片の解除状態を示すもの、図５は同じく模型的垂直断面部分正面図である。図６は、給紙カセットの模型的垂直断面右側面図にして、画像形成装置に収納された状態を示すものである。なお、図２、及び図４において、左方が給紙カセット１の正面側、右方が背面側を示す。
【００２９】
図２、及び図３において、カセットフレーム１０の底部であって、幅方向カーソル２０の下方には、幅方向カーソル２０を所定位置にロックするロック片４０が備えられている。ロック片４０は用紙幅方向に延びる板状の部材であり、カセットフレーム１０に設けられた用紙幅方向に延びる開口１３に取り付けられている。図３、及び図５に示すように、ロック片４０は、その上流側端部の支軸４１を中心とし、下流側端部を自由端として、用紙幅方向と直角をなす面内で回転可能に支持されている。支軸４１部分には、図示しない付勢手段であるねじりコイルばねが備えられ、ロック片４０は反時計方向、すなわちロック方向に付勢されている。なお、このねじりコイルばねは、板ばねやゴム、スポンジ等の弾性部材、或いはその他の付勢手段に代えることが可能である。
【００３０】
ロック片４０の上面には、幅方向カーソル２０との係合部であるロックピン４２が備えられている。ロックピン４２は、給紙カセット１にて使用可能な複数種類の用紙の各々の幅に対応した位置に備えられている。ロックピン４２は、用紙の幅に対応したピンが、２個の幅方向カーソル２０の各々に対して、幅方向の中央線の左右に１個ずつ対称的に配置されて構成されている。
【００３１】
２個の幅方向カーソル２０の各々の水平部２１の底面には、係合孔２３が備えられている。図２、及び図３に示すように、ロック片４０がロック位置にある時に、係合孔２３にロックピン４２が挿入され、幅方向カーソル２０は用紙幅方向に変位しないようにロックされる。
【００３２】
図２、及び図３において、給紙カセット１の正面側の幅方向カーソル２０には、そのさらに正面側に、ロック片４０のロック状態の解除手段である解除ロッド５０が取り付けられている。解除ロッド５０の下部には、垂直な長穴５１が設けられている。幅方向カーソル２０には、垂直方向に間隔をおいて取り付けられた２本の水平なピン２４が備えられ、この水平ピン２４が長穴５１に挿入されている。これにより、解除ロッド５０は、長穴５１が２本の水平ピン２４に沿うようにして、上下方向に変位可能である。解除ロッド５０は、その周囲がカバー５２で覆われているので、用紙幅方向に外れてしまうことはない。
【００３３】
また、解除ロッド５０は、図示しない付勢手段により、常に上方に向かって付勢されている。そして、解除ロッド５０の下端にはロック片４０と係合する係合ピン５３が、上部にはボタン部５４が設けられている。解除ロッド５０は、このボタン部５４を指で下方に押すことにより、図４、及び図５に示すロック解除位置に変位せしめられる。この時、係合ピン５３がロック片４０に当接することにより、ロック片４０の下流側端部が下方に変位して、ロック片４０がロック解除位置に変位せしめられる。
【００３４】
上記の給紙カセット１を画像形成装置に挿入して収納すると、図６に示すように、給紙カセット１は、画像形成装置のフレーム１００のすぐ上方に位置する。給紙カセット１の移動がスムーズに行えるよう、給紙カセット１とフレーム１００との間にはクリアランスが設けられている。しかしながら、このクリアランスは微小であり、フレーム１００の上面は、ロック片４０の変位を規制する変位規制面１０１としての役割を果たす。すなわち、給紙カセット１の収納状態において、ロック片４０は、ロック解除方向に微小な変位が可能であるものの、ロック片４０のロックピン４２と幅方向カーソル２０の係合孔２３との係合が解消される状態にまで変位することができないようになっている。
【００３５】
このようにして、カセットフレーム１０の底部に、幅方向カーソル２０を所定位置にロックするロック片４０を備え、このロック片４０が、下方から幅方向カーソル２０に係合して、幅方向カーソル２０が用紙幅方向に変位しないようにロックするので、給紙カセット１の上方に、カーソルのロックに係る部材を配置する必要がない。したがって、用紙の積載や給紙の妨げとなることがない簡単な構成により、使用者が給紙カセット１を勢いよく用紙幅方向に移動した場合の、用紙の幅方向への移動を防止することが可能である。また、給紙カセット１の占有空間を広くする必要がないので、給紙カセット１、及びこれを備えた機器である画像形成装置の大型化を防止することができる。
【００３６】
また、ロック片４０が、使用可能な複数種類の用紙の各々の幅に対応した位置に、幅方向カーソル２０と係合する係合部であるロックピン４２を備えるので、給紙カセット１で使用可能ないずれの用紙サイズにも対応して、幅方向カーソル２０をロックすることができる。これにより、用紙サイズに関わらず、用紙の幅方向への移動を防止することが可能である。
【００３７】
また、ロック片４０をロック方向に付勢する付勢手段であるねじりコイルばねと、ロック片４０のロック状態の解除手段である解除ロッド５０とを備えるので、ねじりコイルばねによって、ロック片４０を自動的にロック位置に変位させることができるとともに、ロック解除も解除ロッド５０によって容易に行うことができる。ロック片４０による幅方向カーソル２０のロックを、簡単な構成、及び操作で行うことが可能となる。
【００３８】
また、機器本体である画像形成装置に給紙カセット１を挿入した時、給紙カセット１下方の画像形成装置のフレーム１００に設けられた変位規制面１０１により、ロック片４０のロック解除方向への変位が規制されるので、画像形成装置に給紙カセット１を挿入することにより、幅方向カーソル２０のロック状態を強固に保持することが可能となる。これにより、用紙の幅方向への移動防止に対する信頼性を高めることができる。
【００３９】
次に、本発明の第２の実施形態に係る給紙カセット１において、幅方向カーソル２０の詳細な構成について、図７〜図１２を用いて説明する。図７は、給紙カセットの幅方向カーソル取り付け部分を示す模型的垂直断面右側面図である。図８はロック片の端部周辺を示す模型的垂直断面部分拡大図にして、幅方向カーソルのロック解除状態を示すもの、図９は同じくロック状態を示すものである。図１０は給紙カセットの模型的垂直断面部分正面図、図１１は同じく模型的部分上面図である。図１２は、給紙カセットの模型的垂直断面右側面図にして、画像形成装置に収納された状態を示すものである。なお、この実施形態の基本的構成は、図２〜図６を用いて説明した第１の実施形態と同じであるので、第１の実施形態と共通する構成要素には前と同じ符号を付し、説明は省略するものとする。
【００４０】
図７において、カセットフレーム１０の底部であって、幅方向カーソル２０の下方には、幅方向カーソル２０を所定位置にロックするロック片４０が備えられている。ロック片４０の用紙幅方向の両端部には、望遠鏡式に所定ストロークの伸縮が可能な連結部材４３が１個ずつ備えられ、ロック片４０はこの連結部材４３を介してカセットフレーム１０に支持されている。これにより、ロック片４０は、図８、及び図９に示すように、上下方向に移動可能である。連結部材４３の周囲には、ロック片４０を付勢する付勢手段であるばね４４が備えられている。ばね４４は、圧縮コイルばねで構成されている。ばね４４の作用により、ロック片４０は下方、すなわちロック解除方向に付勢されている。なお、このばね４４は、板ばねやゴム、スポンジ等の弾性部材、或いはその他の付勢手段に代えることが可能である。
【００４１】
図７、図１０、及び図１１において、給紙カセット１の正面側の幅方向カーソル２０には、そのさらに正面側に、幅方向カーソル２０の位置決めを行う位置決めレバー６０が取り付けられている。図１０に示すように、位置決めレバー６０は、その上下方向のほぼ中央部に設けられた支持部６１を中心として、用紙幅方向と直角をなす面内で回転可能である。位置決めレバー６０の下端には、カセットフレーム１０と係合する係合突起６２が設けられている。位置決めレバー６０の上部には、ボタン部６３が設けられている。位置決めレバー６０は、その周囲がカバー６４で覆われているので、用紙幅方向に外れてしまうことはない。
【００４２】
位置決めレバー６０は、給紙カセット１に積載された用紙の幅に合わせて、幅方向カーソル２０を所定位置にセットするものである。位置決めレバー６０は、幅方向カーソル２０が用紙束から受ける負荷に対して、幅方向カーソル２０を所定位置に留めておく作用が弱いものであっても構わない。幅方向カーソル２０のロックはロック片４０によってなされる。
【００４３】
また、図１０、及び図１１において、カセットフレーム１０の内部底面には、位置決めレバー６０と係合する係合溝１４が設けられている。係合溝１４は、図１１に示すように、給紙カセット１にて使用可能な複数種類の用紙の各々の幅に対応した位置に備えられている。
【００４４】
図１０において、位置決めレバー６０は、図示しない付勢手段により、常に反時計方向に付勢されている。これにより、位置決めレバー６０の係合突起６２がカセットフレーム１０の係合溝１４と係合した時、幅方向カーソル２０の位置決めがなされる。位置決めレバー６０は、ボタン部６３を指で用紙供給方向下流側に押すことにより、位置決め解除位置に変位せしめられる。
【００４５】
図１２において、給紙カセット１を画像形成装置に挿入した時、給紙カセット１のすぐ下方、すなわちロック片４０のロック解除方向には、画像形成装置のフレーム１００が配置されている。そして、このフレーム１００の上面には、ロック片４０の支持面１０２が設けられ、ロック片４０がこの支持面１０２に接触して支えられている。これにより、ロック片４０は、ばね４４の弾発力に抗して上方に向かって変位せしめられ、ロック位置にて拘束される。
【００４６】
このようにして、ロック片４０をロック解除方向に付勢する付勢手段であるばね４４を備えるので、このばね４４によって、ロック片４０を自動的にロック解除位置に変位させることができる。したがって、幅方向カーソル２０のロック解除操作を行うための部材を別途用意する必要がないので、コストダウンを図ることができるとともに、ロック解除操作の手間も省ける。さらに、機器本体である画像形成装置に給紙カセット１を挿入した時、ロック片４０が、給紙カセット１下方のフレーム１００に設けられた支持面１０２に接触して支えられることにより、ロック片４０がロック位置にて拘束されることとしたので、画像形成装置に給紙カセット１を挿入するだけで、ロック片４０を自動的にロック位置に変位させて、拘束させることができる。したがって、手間を掛けることなく幅方向カーソル２０をロックできるとともに、ロック状態を強固に保持することが可能となる。
【００４７】
上記のように本発明の実施形態を示したが、この他、発明の主旨を逸脱しない範囲で種々の変更を加えて実施することができる。
【産業上の利用可能性】
【００４８】
本発明は、適正な給紙位置に用紙の位置決めを行うためのカーソルを備え、機器本体から引き出し可能な給紙カセット全般において利用可能である。
【図面の簡単な説明】
【００４９】
【図１】は、本発明の実施形態に係る給紙カセットの斜視図にして、背面側上方から見たものである。
【図２】は、本発明の第１の実施形態に係る給紙カセットの幅方向カーソル取り付け部分を示す模型的垂直断面右側面図である。
【図３】は、図２に示す給紙カセットの模型的垂直断面部分正面図である。
【図４】は、図２と同様の模型的垂直断面右側面図にして、ロック片の解除状態を示すものである。
【図５】は、図４に示す給紙カセットの模型的垂直断面部分正面図である。
【図６】は、図２に示す給紙カセットの模型的垂直断面右側面図にして、画像形成装置に収納された状態を示すものである。
【図７】は、本発明の第２の実施形態に係る給紙カセットの幅方向カーソル取り付け部分を示す模型的垂直断面右側面図である。
【図８】は、図７に示す給紙カセットのロック片端部周辺の模型的垂直断面部分拡大図にして、幅方向カーソルのロック解除状態を示すものである。
【図９】は、図８と同様の模型的垂直断面部分拡大図にして、幅方向カーソルのロック状態を示すものである。
【図１０】は、図７に示す給紙カセットの模型的垂直断面部分正面図である。
【図１１】は、図７に示す給紙カセットの模型的部分上面図である。
【図１２】は、図７に示す給紙カセットの模型的垂直断面右側面図にして、画像形成装置に収納された状態を示すものである。
【符号の説明】
【００５０】
１    給紙カセット
１０  カセットフレーム
１３  開口
１４  係合溝
２０  幅方向カーソル
２１  水平部
２３  係合孔
４０  ロック片
４１  支軸
４２  ロックピン
４３  連結部材
４４  ばね（付勢手段）
５０  解除ロッド
５３  係合ピン
６０  位置決めレバー
６２  係合突起
１００  フレーム
１０１  変位規制面
１０２  支持面
【図１】
2005231862.tif 000003
【図２】
2005231862.tif 000004
【図３】
2005231862.tif 000005
【図４】
2005231862.tif 000006
【図５】
2005231862.tif 000007
【図６】
2005231862.tif 000008
【図７】
2005231862.tif 000009
【図８】
2005231862.tif 000010
【図９】
2005231862.tif 000011
【図１０】
2005231862.tif 000012
【図１１】
2005231862.tif 000013
【図１２】
2005231862.tif 000014